(57)【特許請求の範囲】
【請求項１】
杭頭部に設けられたフーチングと、
下端部に接合されたベースプレートが前記フーチングに直接固定された柱と、
前記フーチングの上面に支持され、前記柱の下端部を埋設させた基礎梁と、
を有し、
前記フーチングには、コ字状に曲げられ、上端部が前記フーチングの上面から突出した主筋が設けられている、基礎構造。
【請求項２】
前記フーチングは平面視が矩形状とされ、角部を結ぶ対角線を前記基礎梁の材軸方向に向けている請求項１に記載の基礎構造。
【請求項３】
前記フーチングの上面に凹部が形成され、
前記ベースプレートは前記凹部に配置され、
前記フーチングの上面と前記ベースプレートの上面とが面一とされている、
請求項１又は請求項２に記載の基礎構造。
【請求項４】
前記主筋の中央部と、前記フーチングの上面との間に配置され、外周部が前記主筋の立上げ部と接合された補強鉄筋を備えている、請求項１〜３の何れか１項に記載の基礎構造。
【発明の詳細な説明】
【技術分野】
【０００１】
本発明は、基礎構造に関する。
【背景技術】
【０００２】
一般的な建物の基礎は、杭頭部にフーチングを構築し、フーチングに建物の基礎梁と柱を接合している。これにより、杭、柱及び基礎梁の確実な接合を図っている。
しかし、この構成では、フーチングと基礎梁の接合部において、フーチングの鉄筋と基礎梁の鉄筋が交差するため、鉄筋組みが容易ではない。
【０００３】
一方、特許文献１には、フーチングの高さ方向の下部に、フーチングの一部を構成するプレキャスト製のフーチング部材を設置し、フーチング部材に柱脚部を支持させた状態で、建物の上部構造の施工を開始する基礎の構築方法が記載されている。
【先行技術文献】
【特許文献】
【０００４】
【特許文献１】特開２００１−３５５２４６号公報
【発明の概要】
【発明が解決しようとする課題】
【０００５】
しかし、特許文献１には、フーチングを、現場打ち鉄筋コンクリートで構築した場合における、フーチングの鉄筋と基礎梁の鉄筋の、鉄筋組みの困難さを解決する方法は示されていない。
【０００６】
本発明は、上記事実に鑑み、基礎梁の鉄筋の鉄筋組みを容易にする、基礎構造及び基礎構築方法を提供することを目的とする。
【課題を解決するための手段】
【０００７】
請求項１に記載の発明に係る基礎構造は、杭頭部に設けられたフーチングと、下端部に接合されたベースプレートが前記フーチングに直接固定された柱と、前記フーチングの上面に支持され、前記柱の下端部を埋設させた基礎梁と、を有し、前記フーチングには、コ字状に曲げられ、上端部が前記フーチングの上面から突出した主筋が設けられている。
【０００８】
請求項１に記載の発明によれば、基礎梁が、フーチングの上面に支持されてフーチングの上に構築される。これにより、基礎梁の鉄筋をフーチングの上面で配筋できるため、鉄筋組みの作業が容易となる。
また、杭頭部に設けられたフーチングにより、柱が支持される。これにより、施工の早期段階でフーチングに建物の柱を支持させることで、建物の上部構造の施工を早めることができる。更に、柱の下端部が基礎梁に埋設されるので、柱、フーチング及び基礎梁の一体化が図れる。
【０００９】
請求項２に記載の発明は、請求項１に記載の基礎構造において、前記フーチングは平面視が矩形状とされ、角部を結ぶ対角線を前記基礎梁の材軸方向に向けている。
【００１０】
これにより、フーチングの角部を、基礎梁の下に位置させることができるので、平面視において、基礎梁の接合部における基礎梁の側面からはみ出るフーチングの面積を少なくすることができる。
この結果、柱、フーチング及び基礎梁の接合強度を高めると共に、基礎部の施工性を向上させることができる。
請求項３に記載の発明は、請求項１又は請求項２に記載の基礎構造において、前記フーチングの上面に凹部が形成され、前記ベースプレートは前記凹部に配置され、前記フーチングの上面と前記ベースプレートの上面とが面一とされている。
請求項４に記載の発明は、請求項１〜３の何れか１項に記載の基礎構造において、前記主筋の中央部と、前記フーチングの上面との間に配置され、外周部が前記主筋の立上げ部と接合された補強鉄筋を備えている。
【００１１】
一態様に係る基礎構築方法は、フーチングを杭頭部に設ける工程と、前記フーチングの上に柱の下端部に接合されたベースプレートを直接固定して前記柱を建てる工程と、前記フーチングの上面に基礎梁を構築し、前記柱の下端部を埋設させる工程と、を有している。
【００１２】
一態様に係る基礎構築方法によれば、先ず、杭頭部にフーチングが設けられる。
次に、フーチングの上に柱が建てられる。
次に、フーチングの上面に基礎梁の鉄筋が配筋され、基礎梁のコンクリートが打設される。このとき、柱の下端部は、基礎梁に埋設される。
本構築方法とすることにより、基礎梁の鉄筋をフーチングの上面で配筋できる。この結果、鉄筋組みの作業が容易となる。
【発明の効果】
【００１３】
本発明は、上記構成としてあるので、基礎梁の鉄筋の鉄筋組みを容易にする、基礎構造及び基礎構築方法を提供することができる。
【図面の簡単な説明】
【００１４】
【図１】本発明の第１実施形態に係る基礎構造の基本構成を示す正面図である。
【図２】（Ａ）は、図１のＺ１−Ｚ１線断面図であり、（Ｂ）は、図１のＺ２−Ｚ２線断面図である。
【図３】本発明の第２実施形態に係る基礎構造の基本構成を示す図１のＺ２−Ｚ２線断面図である。
【発明を実施するための形態】
【００１５】
（第１実施形態）
本発明の第１実施形態に係る基礎構造について、図１〜図２（Ｂ）を用いて説明する。
ここで、図１は、基礎構造の正面図を示し、図２（Ａ）は図１のＺ１−Ｚ１線断面図を示し、（Ｂ）は図１のＺ２−Ｚ２線断面図を示している。
【００１６】
図１、図２（Ａ）、（Ｂ）に示すように、基礎構造は、現場打ち鉄筋コンクリート造のフーチング１０を有している。フーチング１０は、下端部に杭頭部１２Ｈを埋設させ、杭１２の上に構築されている。
また、フーチング１０は、平面視がＸ軸方向、Ｙ軸方向のいずれも幅Ｗ１の矩形状（正方形）とされ、成Ｈ１が幅Ｗ１よりも小さい、扁平形状に構築されている。
【００１７】
フーチング１０の上面１０Ｆには、図示しない建物の柱１４が建てられている。柱１４の下端部（底面）には、柱１４の断面寸法より大きな外形寸法で形成された、ベースプレート１８が接合されている。
【００１８】
フーチング１０の上面１０Ｆの中央部には、凹部３４が形成され、凹部３４の内部はモルタル２０で仕上げられ、モルタル２０の上にはベースプレート１８が載置されている。
ベースプレート１８は、上面をフーチング１０の上面１０Ｆと面一にして、フーチング１０に、図示しない固定手段で固定されている。凹部３４とベースプレート１８との隙間にはモルタル２０が充填され、フーチング１０の上面１０Ｆ及びベースプレート１８と同じ高さに仕上げられている。
【００１９】
地面２４の上には、捨て打ちされたコンクリート層２２が設けられ、コンクリート層２２の上には、基礎梁１６、１７が構築されている。基礎梁１６、１７は、フーチング１０の上面で交差（直交）している。
基礎梁１６、１７の交差部の中央部には、柱１４が建てられており、柱１４の下端部１４Ｄは、基礎梁１６、１７に高さＨ２で埋設されている。
【００２０】
基礎梁１６は、材軸Ｘ１をＸ軸方向に向け、フーチング１０の上面に基礎梁１６の底面を載せて、高さＨ２で構築されている。
基礎梁１６の主筋（鉄筋）２６は、Ｘ軸方向にフーチング１０の上面を通過させて配置され、主筋２６と交差する方向には、あばら筋（鉄筋）２８が設けられている。
【００２１】
基礎梁１７は、材軸Ｙ１をＹ軸方向に向け、フーチング１０の上面に基礎梁１７の底面を載せて、高さＨ２で構築されている。
基礎梁１７の主筋（鉄筋）２７は、Ｙ軸方向にフーチング１０の上面を通過させて配置され、主筋２７と交差する方向には、あばら筋（鉄筋）２９が設けられている。
【００２２】
このとき、フーチング１０は、基礎梁１６、１７の構築に先立って、杭１２の上に、基礎梁１６、１７とは別個に構築されている。
フーチング１０は、コ字状に曲げられた複数の主筋（鉄筋）３０を用いて配筋されている。即ち、主筋３０は、コ字状とされた中央部を、所定間隔でＸ軸方向及びＹ軸方向に向け、かつ、開口部側を上に向けて配筋されている。このとき、開口部側の上端部は、フーチング１０の上面から突出されている。
【００２３】
主筋３０で囲まれた内部には、補強鉄筋３２が設けられている。
補強鉄筋３２は、Ｘ軸方向及びＹ軸方向に向けた鉄筋を、所定間隔で格子状に組み合わせ、平板状に形成されている。
補強鉄筋３２は、主筋３０のコ字状とされた中央部と、フーチング１０の上面１０Ｆとの間に、フーチング１０の上面１０Ｆに沿った方向に設けられ、外周部が、主筋３０のコ字状とされた立上げ部と接合されている。
これにより、柱１４の軸力を、フーチング１０を介して杭１２へ伝達する際の補強用として機能する。
主筋３０、補強鉄筋３２が配筋された後、コンクリートを打設して、フーチング１０が構築される。
【００２４】
本構成とすることにより、フーチング１０の上面で、基礎梁１６、１７の鉄筋組みを行う際に、フーチング１０自体は既に構築されているため、フーチング１０の上面１０Ｆにおいて、基礎梁１６、１７の主筋２６、２７、及びあばら筋２８、２９のみを配筋すればよく、基礎梁１６、１７の配筋が容易となる。
【００２５】
即ち、フーチング１０の上面１０Ｆから、フーチング１０の主筋３０の先端が突出されているものの、基礎梁１６、１７の鉄筋組みを妨げる量ではなく、フーチング１０の主筋３０と、基礎梁１６、１７の鉄筋（主筋２６、２７とあばら筋２８、２９）の交差を最小限に抑えることができる。
【００２６】
本実施形態とすることにより、基礎梁１６と基礎梁１７が、フーチング１０の上面１０Ｆに支持されて、フーチング１０の上に構築される。このとき、基礎梁１６の主筋２６及びあばら筋２８と、基礎梁１７の主筋２７及びあばら筋２９を、フーチング１０の上面１０Ｆで、フーチング１０の主筋３０に邪魔されることなく配筋できる。
即ち、フーチング１０の位置における鉄筋組みの作業が、フーチング１０の鉄筋に邪魔されることなく可能となり、従来のフーチングにおける鉄筋組みに比べ容易となる。
【００２７】
また、杭頭部１２Ｈに設けられたフーチング１０により、柱１４が支持される。これにより、施工の早期段階で、フーチング１０に建物の柱１４を支持させることで、建物の上部構造の着手を早めることができる。
更に、柱１４の下端部１４Ｄが、基礎梁１６と基礎梁１７に埋設されるので、柱１４、フーチング１０及び基礎梁１６、１７の一体化が図れる。
【００２８】
このとき、フーチング１０は、幅Ｗ１よりも成Ｈ１が小さい扁平な形状とされているので、幅Ｗ１よりも成Ｈ１が大きい一般的なフーチングより、施工期間の短縮を図ることができる。
また、柱１４を、早期に建てることにより、建物の基礎梁１６、１７と上部構造部を、並行して構築することができ、建物の施工期間の短縮を図ることができる。
【００２９】
次に、基礎構築方法について説明する。
先ず、フーチング１０が、杭１２の上に杭頭部１２Ｈを埋設させて、現場打ち鉄筋コンクリートで構築される。
次に、フーチング１０の硬化を待って、フーチング１０の上に柱１４が建てられる。柱１４は、フーチング１０の上面１０Ｆの、中央部に形成された凹部３４に、下端部１４Ｄに接合されたベースプレート１８を載置して、固定手段で固定された後、凹部３４にモルタル２０が充填される。
【００３０】
最後に、フーチング１０の上面１０Ｆで交差させて、基礎梁１６の主筋２６及びあばら筋２８が配筋され、基礎梁１７の主筋２７及びあばら筋２９が配筋される。
配筋後、コンクリートが打設され、基礎梁１６、１７が構築される。このとき、柱１４の下端部１４Ｄが、基礎梁１６、１７に埋め込まれる。
【００３１】
本実施形態では、フーチング１０が扁平形状に構築される構成で説明した。しかし、これに限定されることはなく、上面１０Ｆで基礎梁１６、１７の底面を支持する構成であれば、扁平形状でなくてもよい。
【００３２】
また、本実施形態では、フーチング１０は、現場打ち鉄筋コンクリートで構築される構成について説明した。しかし、これに限定されることはなく、上面１０Ｆで基礎梁１６、１７の底面を支持する構成であれば、施工現場以外の場所で予め製造された、プレキャスト部材（ＰＣ部材）であってもよい。
【００３３】
また、本実施形態では、Ｘ軸方向に材軸を向けた基礎梁１６、及びＹ軸方向に材軸を向けた基礎梁１７が、いずれもフーチング１０の上で交差する構成について説明した。しかし、これに限定されることはなく、基礎梁が、Ｘ軸方向又はＹ軸方向のいずれか一方向へのみ、構築される構成でもよい。
【００３４】
（第２実施形態）
本発明の第２実施形態に係る基礎構造について、図３を用いて説明する。
図３は、図１のＺ２−Ｚ２線断面図を示している。
第２実施形態に係る基礎構造は、平面視において、フーチング４０の角部を結ぶ対角線Ｔ１、Ｔ２を、基礎梁１６、１７の材軸Ｘ１、Ｘ２の方向に向けている点において、第１実施形態と相違する。相違点を中心に説明する。
【００３５】
図３に示すように、フーチング４０は、平面視において、一辺の幅がＷ１の矩形状（正方形）とされている。フーチング４０は、角部３６Ａと角部３６Ｃを結ぶ一方の対角線Ｔ１を、基礎梁１６の材軸Ｘ１の方向に向けている。
また、角部３６Ｂと角部３６Ｄを結ぶ他方の対角線Ｔ２を、基礎梁１７の材軸Ｙ１の方向に向けて構築されている。
【００３６】
フーチング４０は、フーチング１０と同様に、基礎梁１６、１７とは別個に、基礎梁１６、１７に先立って、主筋３０と補強鉄筋３２を配筋した後、コンクリートを打設して構築されている。フーチング４０の硬化を待って、基礎梁１６、１７が構築される。
【００３７】
本実施形態では、フーチング４０は、フーチング４０の角部３６Ａと角部３６Ｃを結ぶ一方の対角線Ｔ１を、基礎梁１６の材軸Ｘ１の方向に向け、角部３６Ｂと角部３６Ｄを結ぶ他方の対角線Ｔ２を、基礎梁１７の材軸Ｙ１の方向に向けて構築されている。
これにより、フーチング４０の角部３６Ａと角部３６Ｃを、基礎梁１６の下に位置させ、角部３６Ｂと角部３６Ｄを、基礎梁１７の下に位置させることができる。
【００３８】
この結果、基礎梁１６、１７の底面を支持するフーチング４０の面積を、フーチング４０の角部３６Ａと角部３６Ｃを結ぶ一方の対角線Ｔ１、及び角部３６Ｂと角部３６Ｄを結ぶ他方の対角線Ｔ２を、それぞれ基礎梁１６、１７の材軸Ｘ１、Ｙ１方向と交差させる場合に比べ、広く確保することができる。
この結果、フーチング４０、基礎梁１６、１７及び柱１４の接合強度を高くすることができる。
【００３９】
また、平面視において、基礎梁１６、１７の交差部における、基礎梁１６、１７の側面からはみ出る、フーチング４０のはみ出し部の面積を少なくすることができ、基礎梁１６、１７の施工性を向上させることができる。
他の構成は、第１実施形態と同じであり説明は省略する。
【符号の説明】
【００４０】
１０  フーチング
１０Ｆ  フーチングの上面
１２  杭
１２Ｈ  杭頭部
１４  柱
１４Ｄ  柱の下端部
１６  基礎梁
１７  基礎梁       
２６  基礎梁の主筋（鉄筋）
２７  基礎梁の主筋（鉄筋）
２８  基礎梁の帯筋（鉄筋）
２９  基礎梁の帯筋（鉄筋）
３０  フーチングの主筋（鉄筋）
３２  フーチングの帯筋（鉄筋）
Ｔ１、Ｔ２  対角線
Ｘ１、Ｙ１  材軸方向
【図１】
0006611303.tif 000002
【図２】
0006611303.tif 000003
【図３】
0006611303.tif 000004